(57)【要約】【課題】補助吸込み具を用いる電気掃除機において、補助吸込み具の使用性を向上し、信頼性の高い電気掃除機を提供すること。【解決手段】ホースの延長管接続側端部に、延長管４挿入用の開口部１０を有する筒状の補助吸い込み部６を設け、補助吸い込み部６を介して延長管４とホースとを接続すると共に、補助吸い込み部６の延長管４挿入用の開口部１０に、伸縮性のあるシート状材料にて形成された蓋９を設ける構成としたことにより、従来の構成で必要とした機構部品を減らすことができ、製品の重量、コスト等を削減でき、低価格で使用性や信頼性の高い電気掃除機を提供することができる。【選択図】図２
2006102200.tif 000002
【特許請求の範囲】
【請求項１】
集塵部及び電動送風機を内蔵した本体と、前記本体に一端が着脱自在に接続されるホースと、塵埃吸込用のノズルとを具備し、前記ホースと前記ノズルの間を着脱自在に構成した延長管にて接続し、前記ホースの延長管接続側端部に、前記延長管挿入用の開口部を有する筒状の補助吸い込み部を設け、前記補助吸い込み部を介して前記延長管とホースとを接続すると共に、前記補助吸い込み部の延長管挿入用の開口部に、伸縮性のあるシート状材料にて形成された蓋を設けた電気掃除機。
【請求項２】
延長管を外して、補助吸い込み部を補助吸い込み具として使用する際の補助吸い込み具用の開口を、前記補助吸い込み部の筒状壁面の一部に設けた請求項１に記載の電気掃除機。
【請求項３】
補助吸い込み部の筒状壁面の内周面と、延長管の外周面との間に、シート状材料にて形成した蓋の膜厚に対して充分な隙間を設けた請求項１に記載の電気掃除機。
【発明の詳細な説明】
【技術分野】
【０００１】
本発明は電気掃除機に関するものである。
【背景技術】
【０００２】
従来のこの種の電気掃除機について図３、４を用いて説明する。図３は従来の電気掃除機の全体図、図４は同掃除機用補助吸い込み具の断面図である。
【０００３】
図３において、補助吸い込み部１０１は前方に延長管７０３を、後方にホース７０２をそれぞれ接続されている (例えば、特許文献１参照)。
【特許文献１】特許第３３４４１３６号公報
【発明の開示】
【発明が解決しようとする課題】
【０００４】
しかしながら、図３に示されるようなものでは延長管７０３と補助吸い込み部１０１の間と、補助吸い込み部１０１とホース７０２の間の２箇所に接続のための構成を設ける必要があり、かつこれら２箇所の接続部いずれにも床用吸い込み具７０４を操作する際の応力が常にかかることになり、その結果図４に示すように構造的に部品点数が増加、強度的にもコストや重量がかかるものとなっていた。また、本従来例は電気的接続を伴わない構成であるが、電気的接続を伴う際には更に部品点数は増加し、それに伴い構成や組み立ても複雑化してしまい、さらにコストや重量が増加することになってしまう。
【０００５】
本発明は上記課題を解決するもので、部品数と、それに伴う重量、コストなどを削減でき、低価格でありながら使用性や信頼性の高い電気掃除機を提供することを目的とするものである。
【課題を解決するための手段】
【０００６】
前記従来の課題を解決するために、本発明の電気掃除機は、ホースに対して延長管を直接接続できるよう、補助吸い込み部を構成したものである。
【０００７】
これによって、補助吸い込み部の追加に伴う部品点数増、および、それに伴うコスト・重量増加などのデメリットを最小限に抑えることが可能となる。
【発明の効果】
【０００８】
本発明は、構成が簡素で、かつ使用性や信頼性の高い電気掃除機を提供することができる。
【発明を実施するための最良の形態】
【０００９】
第１の発明は、集塵部及び電動送風機を内蔵した本体と、前記本体に一端が着脱自在に接続されるホースと、ノズルとを具備し、前記ホースと前記ノズルの間を着脱自在に構成した延長管にて接続し、かつ前記ホースと前記延長管の接続部のホース側端部に、延長管接続時に延長管の外側に覆い被さる形で筒状の補助吸い込み部を設け、延長管を挿入する開口を閉塞する蓋を伸縮性のあるシート状材料にて形成することにより、機構部品を減らすことが出来るため、関連する部品を廃止し、製品の重量、コストを削減し、低価格でありながら使用性や信頼性を高めることができる。
【００１０】
第２の発明は、特に、第１の発明において、延長管を外して、補助吸い込み部を補助吸い込み具として使用する際の補助吸い込み具用の開口を、前記補助吸い込み部の筒状壁面の一部に設けたもので、ホース先端に設けた補助吸い込み部を、補助吸い込み具として用いることが、実質的に可能になる。
【００１１】
第３の発明は、特に第１の発明の補助吸い込み部の筒状壁面の内周面と、延長管の外周面との間に前記シート状材料にて形成した蓋の膜厚に対して充分な隙間を設けたもので、蓋が延長管と補助吸い込み部の間にはさまれることがないために蓋の損傷を防ぐことができ、掃除機の耐久性を高めることができる。
【００１２】
以下、本発明の実施の形態について、図面を参照しながら説明する。なお、この実施の形態によって本発明が限定されるものではない。
【００１３】
（実施の形態１）
図１は、本発明の電気掃除機の床面吸い込み具使用状態の全体側面図、図２は同電気掃除機の補助吸い込み部とその周辺の側面図を示すものである。
【００１４】
図１において、電気掃除機本体（以下、「本体」と称す）１と床用吸い込み具５とは、ホース２と延長管４を介して接続されている。ホース２の延長管４が接続される側には先端パイプ３が設けられ、その端部に延長管４が接続されている。また、同先端パイプ３の端部には延長管４の外側に覆い被さる形で補助吸い込み部６が設けられている。
【００１５】
図２（ａ）において、ケース７は補助吸い込み部６の主体をなしている。ケース７の下面には補助吸い込み口８が設けられている。ケース７の前端部７ａには蓋９が設けられている。蓋９は伸縮性のあるシート状材料にて形成されており、その外周がケース７の前端部７ａに固定されている。蓋９の略中央には開口部１０が設けられている。蓋９を形成するシート状材料の膜厚をｔ、延長管４を先端パイプ３に装着した状態での延長管４の外周面と、ケース７の内周面の隙間（の最も狭い部分）をＴとした場合、各々の寸法はＴ＞ｔとなるように設定している。
【００１６】
以上のように構成された電気掃除機について、以下その動作、作用を説明する。
【００１７】
図２（ａ）は、延長管４が取り付けられていない、つまり補助吸い込み部６使用状態における蓋９の状態である。延長管４を先端パイプ３に装着するために蓋９に設けた開口部１０を介してケース７の前端部７ａ内に挿入していくに従って蓋９はＡの位置から押し広げられて、最終的に延長管４が接続された状態では図２（ｂ）に示すような状態となり、ケース７内面と延長管４の外周の隙間に位置する格納部１６内に収まる。また延長管４が接続された状態から外すと、蓋９は自身の伸縮性によって初期の状態に戻り、ケース７の前端部７ａを閉塞する。
【００１８】
以上のように、本実施の形態においては先端パイプ３と延長管４の接続部の先端パイプ３側端部に、延長管４接続時に延長管４の外側に覆い被さる形で筒状の補助吸い込み部６を設け、かつ伸縮性のある材料にて形成された蓋９を設けることにより、従来の構成では必要であった機構部品を減らすことが出来るため、製品の重量、コストを削減し、低価格でありながら使用性や信頼性の高い製品とすることができる。
【００１９】
尚、本実施の形態において、補助吸い込み部を、先端パイプを介してホースと接続したが、直接ホースの先端に接続しても、問題ないものである。
【産業上の利用可能性】
【００２０】
以上のように、本発明にかかる電気掃除機は、構造の簡素化が可能となるので、部品数削減による重量やコストの低下効果、製品の品質確保に必要な管理項目や評価項目の減少による信頼性の向上や開発の迅速化が図れ、低価格でありながら使用性や信頼性のすることのできる、極めて有用なものである。
【図面の簡単な説明】
【００２１】
【図１】本発明の電気掃除機の床面吸い込み具使用状態の全体側面図
【図２】（ａ）同電気掃除機の補助吸い込み部まわり（延長管無し）の側面図（ｂ）同電気掃除機の補助吸い込み部まわり（延長管あり）の側面図
【図３】従来の電気掃除機使用状態の全体側面図
【図４】同掃除機用補助吸い込み具の断面図
【符号の説明】
【００２２】
１  本体
２  ホース
３  先端パイプ
４  延長管
６  補助吸い込み部
７  ケース
９  蓋
【図１】
2006102200.tif 000003
【図２】
2006102200.tif 000004
【図３】
2006102200.tif 000005
【図４】
2006102200.tif 000006